(57)【要約】【課題】より使い勝手のよい台間機、台間機用システム、情報処理、またはサーバを提供する。【解決手段】表示部と、操作部と、表示部が複数の口座の残高の画面を表示している状態で、口座間の残高の乗り入れ命令を受け付けるプロセッサとを備える、台間機が提供される。【選択図】図５
2019136238.tif 000002
【特許請求の範囲】
【請求項１】
表示部と、
操作部と、
前記表示部が複数の口座の残高の画面を表示している状態で、口座間の残高の乗り入れ命令を受け付けるプロセッサとを備える、台間機。
【請求項２】
前記プロセッサは、所定の条件を満たしている口座に関して他の口座への乗り入れが可能であることを前記残高の画面に表示するとともに、前記操作部を介して他の口座への乗り入れ命令を受け付け、
前記所定の条件を満たしていない口座に関して他の口座への乗り入れが不能であることを前記残高の画面に表示する、請求項１に記載の台間機。
【請求項３】
前記プロセッサは、前記口座の残高として貯玉の数と持ち玉の数とを前記残高の画面に表示させ、前記貯玉からの乗り入れ命令と前記持ち玉からの乗り入れ命令とを受け付ける、請求項１または２に記載の台間機。
【請求項４】
請求項３に記載の台間機と、
前記台間機と通信可能なサーバとを備え、
前記サーバは、乗り入れ命令を受け付けると、乗り入れ先の貯玉への変換処理を実行し、
前記台間機は、乗り入れ先への払い出し処理を実行する、台間機用システム。
【請求項５】
請求項３に記載の台間機と、
前記台間機と通信可能なサーバとを備え、
前記サーバは、前記台間機からいずれかの口座の選択命令を受け付けると、当該口座の貯玉と持ち玉のうちの予め定められた方から優先して他の口座へ乗り入れる、台間機用システム。
【請求項６】
台間機と、
前記台間機が複数の口座の残高の画面を表示している状態で、前記台間機を介して口座間の残高の乗り入れ命令を受け付けるサーバとを備える、台間機用システム。
【請求項７】
台間機に複数の口座の残高の画面を表示部に表示させるステップと、
当該残高の画面を表示中に、サーバが前記台間機を介して口座間の残高の乗り入れ命令を受け付けるステップとを備える、情報処理方法。
【請求項８】
台間機と通信するための通信インターフェイスと、
前記台間機が複数の口座の残高の画面を表示している状態で、前記通信インターフェイスを介して前記台間機から口座間の残高の乗り入れ命令を受け付けるプロセッサとを備える、サーバ。
【発明の詳細な説明】
【技術分野】
【０００１】
本発明は、遊技台の間や近傍に配置される玉貸機やメダル貸機などの台間機の技術に関する。
【背景技術】
【０００２】
従来から、遊技台の間や近傍に配置される玉貸機やメダル貸機などの台間機が知られている。たとえば、特開２０１７−０２９４９７号公報（特許文献１）には、遊技用装置及び遊技用システムが開示されている。特許文献１によると、４円貯玉数が５０玉、２円貯玉数が０玉、１円貯玉数が８０玉の状態では乗入れ払出は実行できず、算出される必要計数玉数は５５玉となる。計数処理が発生して１２０玉の計数が行われると、４円持玉数が１２０玉となる。この状態で貯玉移行処理が実行されると、４円持玉数１２０玉のうち５５玉が貯玉移行処理の対象となり、貯玉移行処理後の４円貯玉数は５０玉＋５５玉＝１０５玉、４円持玉数は１２０玉−５５玉＝６５玉となる。このとき、乗入れ払出可能玉数は１２５玉となり、乗入れ払出ボタンの操作により乗入れ払出が実行可能となる。
【０００３】
また、特開２０１４−１４４１８６号公報（特許文献２）には、遊技場用システムが開示されている。特許文献２によると、各台計数機において、各台計数機において、異なる種類の持玉（貯玉）がＩＣカードの発行可能数（貯玉の場合は貯玉の最低払出数）以上である場合に、持玉（貯玉）を使用可能な換算値を表示するようにした。これにより、発行可能数（最低払出数）の分については異なる種類の持玉（貯玉）を使用可能な換算値を使用することができず異なる種類の持玉（貯玉）の全てを使用することができない分、使用可能な換算値がわかりにくくなり易いが、本実施形態では、異なる種類の持玉（貯玉）でどの程度遊技を行うことができるか遊技者が特定しにくくなることを抑制できる。
【先行技術文献】
【特許文献】
【０００４】
【特許文献１】特開２０１７−０２９４９７号公報
【特許文献２】特開２０１４−１４４１８６号公報
【発明の概要】
【発明が解決しようとする課題】
【０００５】
より使い勝手のよい台間機、台間機用システム、情報処理、またはサーバを提供することにある。
【課題を解決するための手段】
【０００６】
この発明のある態様に従うと、表示部と、操作部と、表示部が複数の口座の残高の画面を表示している状態で、口座間の残高の乗り入れ命令を受け付けるプロセッサとを備える、台間機が提供される。
【発明の効果】
【０００７】
以上のように、本発明によれば、より使い勝手のよい台間機、台間機用システム、情報処理、またはサーバが提供される。
【図面の簡単な説明】
【０００８】
【図１】第１の実施の形態にかかる台間玉貸機１００の正面図である。
【図２】第１の実施の形態にかかる台間玉貸機１００の側面断面図である。
【図３】第１の実施の形態にかかる台間玉貸機１００の背面図である。
【図４】第１の実施の形態にかかる台間機用システム１のイメージ図である。
【図５】第１の実施の形態にかかる台間玉貸機１００の第１の画面推移のイメージ図である。
【図６】第１の実施の形態にかかる台間玉貸機１００の第２の画面推移のイメージ図である。
【図７】第１の実施の形態にかかる台間玉貸機１００の第３の画面推移のイメージ図である。
【図８】第１の実施の形態にかかるサーバ３００の構成を示すブロック図である。
【図９】第１の実施の形態にかかる台間玉貸機データベース３２１を示すイメージ図である。
【図１０】第１の実施の形態にかかる貸出レートデータ３２２を示すイメージ図である。
【図１１】第１の実施の形態にかかる貯玉持ち玉データベース３２３を示すイメージ図である。
【図１２】第１の実施の形態にかかるサーバ３００の情報処理を示すイメージ図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜台間玉貸機１００の構成＞
【００１０】
まず、本実施の形態にかかる台間玉貸機１００の構成について説明する。図１は、本実施の形態にかかる台間玉貸機１００の正面図である。図２は、本実施の形態にかかる台間玉貸機１００の側面断面図である。
【００１１】
図１と図２とを参照して、台間玉貸機１００は、主に、状態表示ランプ１０１と、紙幣挿入口１０２と、紙幣識別機１１５と、タッチパネル１３０と、払い出しスイッチ１０４と、貸出ノズル１０５と、メンテナンスタグタッチセンサ１０６と、カード挿入排出口１０７と、カードリーダライタユニット１１７と、計数機１０８と、玉切りユニット１１６と、制御基板１１０と、外部接続基板１６０とを有する。
【００１２】
紙幣挿入口１０２には紙幣が挿入される。紙幣識別機１１５は紙幣を識別し、識別結果を制御基板１１０のＣＰＵ（Central Processing Unit）１１１に受け渡す。ＣＰＵ１１１は、同じく制御基板１１０のメモリ１１２にデータを蓄積したりデータを読み出したりする。ＣＰＵ１１１は、メンテナンスタグタッチセンサ１０６からの信号に基づいて、メンテナスモードに移行する。カード挿入排出口１０７は、会員カードやビジターカードを受け付ける。ＣＰＵ１１１は、カードリーダライタユニット１１７を利用して会員カードやビジターカードから識別情報を読み出したり、計数機１０８からカウント結果を取得したり、貯玉や持ち玉に関する情報を外部接続基板１６０を介してサーバ３００と送受信したりする。ＣＰＵ１１１は、タッチパネル１３０に各種情報を表示させたり、各種命令を受け付けたりする。ＣＰＵ１１１は、払い出しスイッチ１０４からの信号に基づいて貸出ノズル１０５から玉を出力する。
【００１３】
なお、これらの各部は、その全てが台間玉貸機１００に搭載される必要があるわけではなく、たとえば貸出ノズル１０５は無くてもよく、遊技台２００などの他の装置から玉を出力してもよい。
【００１４】
図３は、本実施の形態にかかる台間玉貸機１００の背面図である。図３を参照して、外部接続基板１６０には、社内ＬＡＮ（Local Area Network）やＷＡＮ（Wide Area Network）を介してサーバ３００などの他の装置と通信するための接続コネクタ１６１が設けられる。また、外部接続基板１６０には、対応する遊技台と通信するための接続コネクタ１６３も設けられている。
＜台間機用システム１の構成＞
【００１５】
次に、本実施の形態にかかる台間機用システム１の構成について説明する。図４は、本実施の形態にかかる台間機用システム１のイメージ図である。図４を参照して、台間機用システム１は、複数の遊技台２００，２００・・・と、それらの間に設置される複数の台間玉貸機１００，１００・・・と、台間玉貸機１００，１００・・・と通信可能なサーバ３００とを含む。
【００１６】
そして、本実施の形態においては、台間玉貸機１００の制御基板１１０のＣＰＵ１１１は、遊技者が遊技台２００での遊技中に、サーバ３００から各種の情報を取得して、タッチパネル１３０に各種の情報を表示させる。たとえば、ＣＰＵ１１１は、カードリーダライタユニット１１７を介して取得した会員カードの識別情報やビジターカードの識別情報をサーバ３００に送信することによって、ユーザが現在有している貯玉や持ち玉に関するデータを受信する。そして、ＣＰＵ１１１は、タッチパネル１３０に貯玉や持ち玉を表示させる。なお、持ち玉情報はサーバ３００からデータを取得する場合に限らず、計数機１０８で計数するときにもタッチパネル１３０に表示される。
【００１７】
なお、ここで、本実施の形態にかかる「持ち玉」とは、主に、遊技台２００からの出玉のことをいう。一方、貯玉は会員カードに対応付けて記録されている玉のことである。
【００１８】
そして本実施の形態においては、図５（Ａ）に示すように、台間玉貸機１００のＣＰＵ１１１は、タッチパネル１３０にメニュー画面を表示する。ＣＰＵ１１１は、残高照会ボタン１３０Ａが押されると、接続コネクタ１６１を介してサーバ３００から現在の会員カードに対応するユーザの各口座の貯玉のデータや持ち玉のデータを取得する。そして、図５（Ｂ）に示すように、ＣＰＵ１１１は、タッチパネル１３０に、ユーザの現在の各口座の持ち玉の数字を表示する。あるいは、図６（Ｂ）に示すように、ＣＰＵ１１１は、タッチパネル１３０に、ユーザの現在の各口座の貯玉や持ち玉の数字を表示する。
【００１９】
特に本実施の形態においては、サーバ３００は、現在使用中の遊技台２００の口座に乗り入れ可能な別の口座情報として、乗り入れ可能なことを示す情報とともに貯玉データや持ち玉データを台間玉貸機１００に提供する。一方、サーバ３００は、現在使用中の遊技台２００に乗り入れ不能な別の口座情報として、乗り入れ不可能なことを示す情報とともに貯玉データや持ち玉データを台間玉貸機１００に提供する。
【００２０】
これによって、図５（Ｂ）および図６（Ｂ）に示すように、台間玉貸機１００のＣＰＵ１１１は、タッチパネル１３０に、現在使用中の遊技台２００に乗り入れ可能な別の口座１３０Ｃ，１３０Ｄに対応付けて、乗り入れ可能なことを示す情報、たとえば「使えます」というテキストなど、を表示する。一方、ＣＰＵ１１１は、タッチパネル１３０に、現在使用中の遊技台２００に乗り入れ不能な別の口座１３０Ｅに対応付けて、乗り入れ不可能なことを示す情報、たとえば「使えません」というテキストなど、を表示する。
【００２１】
この状態で、ユーザが台間玉貸機１００のタッチパネル１３０のうちの乗り入れ可能な口座１３０Ｃ，１３０Ｄにタッチすると、図７（Ａ）に示すように、ＣＰＵ１１１はタッチパネル１３０に払い出し用の画面を表示する。ユーザが払い出しボタン１３０Ｇを押すと、図７（Ｂ）に示すように、ＣＰＵ１１１は、払い出し中の画面に遷移するとともに、払い出しを実行する。払い出しが終了すると、図７（Ｃ）に示すように、ＣＰＵ１１１は、再度払出確認画面を表示する。
＜サーバ３００の構成＞
【００２２】
次にサーバ３００について説明する。図８を参照して、本実施の形態にかかるサーバ３００は、主に、ＣＰＵ（Central Processing Unit）３１０、メモリ３２０、操作部３３０、通信インターフェイス３６０などを有する。なお、サーバ３００は、遊技台２００，２００・・・や台間玉貸機１００，１００・・・が配置される店舗内に配置されるものであってもよいし、店舗外に配置されてインターネットやキャリア網を介して遠隔から台間玉貸機１００，１００・・・と通信するものであってもよい。
【００２３】
ＣＰＵ３１０は、メモリ３２０に格納されているプログラムを実行し、メモリ３２０のデータベースを参照することによって各種の処理を実行する。
【００２４】
メモリ３２０は、各種のＲＡＭ（Random  Access  Memory）、各種のＲＯＭ（Read-Only  Memory）などによって実現され、サーバ３００に内包されているものであってもよいし、サーバ３００の各種インターフェイスに着脱可能なものであってもよいし、サーバ３００からアクセス可能な他の装置の記録媒体であってもよい。メモリ３２０は、ＣＰＵ３１０によって実行されるプログラムや、ＣＰＵ３１０によるプログラムの実行により生成されたデータ、その他の本実施の形態にかかるサービスに利用されるデータベースなどを記憶する。
【００２５】
たとえば、メモリ３２０は、図９に示すような台間玉貸機データベース３２１を記憶する。台間玉貸機データベース３２１は、台間玉貸機１００毎に、台間玉貸機１００の識別情報と、台間玉貸機１００が配置される店舗の識別情報と、台間玉貸機１００が属する列や島の識別情報と、台間玉貸機１００に対応する遊技台２００の識別情報と、台間玉貸機１００に対応する遊技台２００の種類の識別情報と、現在使用中の遊技者の識別情報などの対応関係を格納する。
【００２６】
なお、ここで、台間玉貸機１００，１００・・・の属する列や島とは、サーバ３００の管理者が列ＩＤを設定することによって自由に定義できるものである。たとえば、実際に遊技台２００の正面視において左右方向に並んでいる複数の台間玉貸機１００，１００・・・を列に設定してもよいし、実際にまとまって配置されている複数の台間玉貸機１００，１００・・・を島に設定してもよいし、同じ種類の台間玉貸機１００，１００・・・を１つの列や島に設定したりすることもできる。
【００２７】
また、メモリ３２０は、図１０に示すような貸出レートデータ３２２を記憶する。貸出レートデータ３２２は、遊技の口座毎に貸出比率と最小乗り入れ玉数とが格納されている。なお、最小乗り入れ玉数とは、最小単位ともいい、当該数値以上の単位でしか他の口座から乗り入れることができないものである。
【００２８】
また、メモリ３２０は、図１１に示すような貯玉持ち玉データベース３２３を記憶する。貯玉持ち玉データベース３２３は、ユーザ毎に、会員カードや会員タグなどに対応付けられたユーザの識別情報と、口座毎の現在の貯玉と、口座毎の現在の持ち玉との対応関係を格納する。
【００２９】
図８に戻って、操作部３３０は、店舗の管理者などの各種命令を受け付けて、当該命令をＣＰＵ３１０に入力する。
【００３０】
通信インターフェイス３６０は、ＣＰＵ３１０からのデータを、ＬＡＮやインターネットやキャリア網やルータなどを介して、台間玉貸機１００，１００・・・などの他の装置に送信する。逆に、通信インターフェイス３６０は、ＬＡＮやインターネットやキャリア網やルータなどを介して、台間玉貸機１００，１００・・・などの他の装置からのデータを受信してＣＰＵ３１０に受け渡す。
【００３１】
たとえば、ＣＰＵ３１０は、通信インターフェイス３６０を介して、台間玉貸機１００から会員カードやビジターカードの識別情報を受信すると、貯玉持ち玉データベース３２３を参照して、現在の貯玉と現在の持ち玉とを台間玉貸機１００に送信する。また、ＣＰＵ３１０は、台間玉貸機１００から会員カードやビジターカードの識別情報とともに、貯玉や持ち玉の変動に関するデータを受信して、貯玉持ち玉データベース３２３を更新する。
【００３２】
次に本実施の形態にかかるサーバ３００における情報処理方法について説明する。図１２は、本実施の形態にかかるサーバ３００における情報処理方法を示すフローチャートである。
【００３３】
図１２を参照して、ＣＰＵ３１０は、通信インターフェイス３６０を介して、台間玉貸機１００からのデータを受信すると、台間玉貸機１００の識別情報を取得して、台間玉貸機データベース３２１を参照することによって、台間玉貸機１００に対応する遊技台２００の種類や口座の種類を特定する（ステップＳ１０２）。ＣＰＵ３１０は、台間玉貸機１００からのデータから会員カードの識別情報を取得することによってユーザを特定する（ステップＳ１０４）。
【００３４】
ＣＰＵ３１０は、貯玉持ち玉データベース３２３を参照して、対象となるユーザの各種の口座の残高を読み出す（ステップＳ１０６）。ＣＰＵ３１０は、レートデータ３２２を参照して、対象となる口座から現在の口座への乗り入れが可能であるか否かを判断する（ステップＳ１０８）。
【００３５】
ＣＰＵ３１０は、対象となるユーザに関して、全ての種類の口座に関するステップＳ１０６とステップＳ１０８の処理が完了したか否かを判断する（ステップＳ１１０）。計算が完了していない別の口座がある場合（ステップＳ１１０にてＹＥＳである場合）、ＣＰＵ３１０は、当該別の口座に関してステップＳ１０６からの処理を繰り返す。
【００３６】
全ての口座に関する処理が完了した場合（ステップＳ１１０にてＮＯである場合）、ＣＰＵ３１０は通信インターフェイス３６０を介して、全ての口座に関する、残高を示す情報と現在の口座への乗り入れの可否とを示す情報とを台間玉貸機１００に送信する（ステップＳ１１２）。
【００３７】
ＣＰＵ３１０は、他の口座からの払い出し命令を受け付けた場合（ステップＳ１１４にてＹＥＳである場合）、貯玉持ち玉データベース３２３に対して、貸出レートデータ３２２に従って他の口座から現在の遊技台２００に対応する口座の貯玉への乗り入れ処理すなわち振り替え処理を行う（ステップＳ１１６）。その後、ＣＰＵ３１０は、現在の遊技台２００に対応する口座から指定の玉数だけ払い出す処理を実行する（ステップＳ１１８）。なお、本実施の形態においては、乗り入れ処理をサーバ３００で実行し、払い出し処理を台間玉貸機１００にて実行する。台間玉貸機１００は、払い出しが完了するとその旨をサーバ３００に送信する。サーバ３００のＣＰＵ３１０は、貯玉持ち玉データベース３２３に対して、現在の遊技台２００に対応する口座の貯玉から今回払い出した分の玉数を引き落とす。
【００３８】
このように、本実施の形態においては、台間玉貸機１００は、ユーザの指示に基づいて、残高照会用の画面から、直接的に、払い出し用の確認画面に遷移する。そしてそのまま払い出しを実行することができる。つまり、ユーザは、少ない手順で、スムーズに他の口座からの乗り入れおよび払い出しを行うことができる。
＜第２の実施の形態＞
【００３９】
上記の技術は、本実施の形態においては、貯玉と持ち玉を残高表示したり、他の口座の貯玉や他の口座の持ち玉から自由に払い出したりすることが可能なものであったが、このような形態には限られない。
【００４０】
たとえば、残高表示画面に貯玉を表示しないようにしたり、残高表示画面に持ち玉を表示しないようにしたり、所定の口座の貯玉を優先して払い出したり、他の口座の持ち玉を優先して払い出したり、することもできる。
＜第３の実施の形態＞
【００４１】
上記の実施の形態の台間機用システム１の各装置の役割の一部または全部を他の装置が実行してもよい。たとえば、台間玉貸機１００やサーバ３００の各々の役割の一部または全部を別の装置が担ったり、台間玉貸機１００やサーバ３００の各々の役割の一部または全部を複数の装置で担ったりしてもよい。
＜第４の実施の形態＞
【００４２】
また上記の技術は、台間玉貸機１００に限らず、台間メダル貸機などにも適用可能である。
＜まとめ＞
【００４３】
上記の実施の形態においては、表示部と、操作部と、表示部が複数の口座の残高の画面を表示している状態で、口座間の残高の乗り入れ命令を受け付けるプロセッサとを備える、台間機が提供される。なお、台間機は、台間玉貸機１００や台間メダル貸機などである。また、表示部は、タッチパネル１３０であってもよいし、通常のディスプレイであってもよい。操作部は、タッチパネル１３０であってもよいし、通常のボタンやスイッチなどであってもよい。プロセッサは、ＣＰＵ１１１などの演算装置である。
【００４４】
好ましくは、プロセッサは、所定の条件を満たしている口座に関して他の口座への乗り入れが可能であることを残高の画面に表示するとともに、操作部を介して他の口座への乗り入れ命令を受け付け、所定の条件を満たしていない口座に関して他の口座への乗り入れが不能であることを残高の画面に表示する。所定の条件とは、乗り入れ元の口座の残高による条件であってもよいし、サーバ３００に予め各口座間の乗り入れが可能か不能かの情報を設定するものであってもよく、限定されない。
【００４５】
好ましくは、プロセッサは、口座の残高として貯玉の数と持ち玉の数とを残高の画面に表示させ、貯玉からの乗り入れ命令と持ち玉からの乗り入れ命令とを受け付ける。
【００４６】
あるいは上記の台間機と、台間機と通信可能なサーバ３００とを備える台間機用システム１が提供される。サーバ３００は、乗り入れ命令を受け付けると、乗り入れ先の貯玉への変換処理を実行する。台間機は、乗り入れ先への払い出し処理を実行する。
【００４７】
あるいは上記の台間機と、台間機と通信可能なサーバ３００とを備える台間機用システム１が提供される。サーバ３００は、台間機からいずれかの口座の選択命令を受け付けると、当該口座の貯玉と持ち玉のうちの予め定められた方から優先して他の口座へ乗り入れる。
【００４８】
上記の実施の形態においては、台間機と、台間機が複数の口座の残高の画面を表示している状態で、台間機を介して口座間の残高の乗り入れ命令を受け付けるサーバ３００とを備える、台間機用システム１が提供される。
【００４９】
上記の実施の形態においては、台間機に複数の口座の残高の画面を表示部に表示させるステップと、当該残高の画面を表示中に、サーバ３００が台間機を介して口座間の残高の乗り入れ命令を受け付けるステップとを備える、情報処理方法が提供される。
【００５０】
上記の実施の形態においては、台間機と通信するための通信インターフェイス３６０と、台間機が複数の口座の残高の画面を表示している状態で、通信インターフェイス３６０を介して台間機から口座間の残高の乗り入れ命令を受け付けるプロセッサ３１０とを備える、サーバ３００が提供される。
【００５１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５２】
１        ：台間機用システム
１００    ：台間玉貸機
１０１    ：状態表示ランプ
１０２    ：紙幣挿入口
１０４    ：払い出しスイッチ
１０５    ：貸出ノズル
１０６    ：メンテナンスタグタッチセンサ
１０７    ：カード挿入排出口
１０８    ：計数機
１１０    ：制御基板
１１１    ：ＣＰＵ
１１２    ：メモリ
１１５    ：紙幣識別機
１１６    ：玉切りユニット
１１７    ：カードリーダライタユニット
１２０    ：４円持玉数
１３０    ：タッチパネル
１３０Ａ  ：残高照会ボタン
１３０Ｃ  ：口座
１３０Ｄ  ：口座
１３０Ｅ  ：口座
１３０Ｇ  ：払い出しボタン
１６０    ：外部接続基板
１６１    ：接続コネクタ
１６３    ：接続コネクタ
２００    ：遊技台
３００    ：サーバ
３１０    ：ＣＰＵ
３２０    ：メモリ
３２１    ：台間玉貸機データベース
３２２    ：貸出レートデータ
３２３    ：貯玉持ち玉データベース
３３０    ：操作部
３６０    ：通信インターフェイス
【図１】
2019136238.tif 000003
【図２】
2019136238.tif 000004
【図３】
2019136238.tif 000005
【図４】
2019136238.tif 000006
【図５】
2019136238.tif 000007
【図６】
2019136238.tif 000008
【図７】
2019136238.tif 000009
【図８】
2019136238.tif 000010
【図９】
2019136238.tif 000011
【図１０】
2019136238.tif 000012
【図１１】
2019136238.tif 000013
【図１２】
2019136238.tif 000014
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
表示部と、
操作部と、
前記表示部が複数の口座の残高の画面を表示している状態で、直接、払い出し口座の選択命令を受け付けて、前記表示部に払い出しの確認画面へ推移させるプロセッサとを備える、台間機。
【請求項２】
前記プロセッサは、前記表示部に、複数の口座の残高の画面を表示している状態で、払い出し口座の選択を促すメッセージを表示させる、請求項1に記載の台間機。
【請求項３】
前記プロセッサは、所定の条件を満たしている口座に関して他の口座への乗り入れが可能であることを前記残高の画面に表示するとともに、前記操作部を介して他の口座への乗り入れ命令を受け付け、
前記所定の条件を満たしていない口座に関して他の口座への乗り入れが不能であることを前記残高の画面に表示する、請求項１または２に記載の台間機。
【請求項４】
前記プロセッサは、前記口座の残高として貯玉の数と持ち玉の数とを前記残高の画面に表示させ、前記貯玉からの乗り入れ命令と前記持ち玉からの乗り入れ命令とを受け付ける、請求項１から３のいずれか１項に記載の台間機。
【請求項５】
請求項４に記載の台間機と、
前記台間機と通信可能なサーバとを備え、
前記サーバは、乗り入れ命令を受け付けると、乗り入れ先の貯玉への変換処理を実行し、
前記台間機は、乗り入れ先への払い出し処理を実行する、台間機用システム。
【請求項６】
請求項４に記載の台間機と、
前記台間機と通信可能なサーバとを備え、
前記サーバは、前記台間機からいずれかの口座の選択命令を受け付けると、当該口座の貯玉と持ち玉のうちの予め定められた方から優先して他の口座へ乗り入れる、台間機用システム。
【請求項７】
台間機と、
前記台間機が複数の口座の残高の画面を表示している状態で、直接、払い出し口座の選択命令を受け付けて、前記台間機に払い出しの確認画面へ推移させるサーバとを備える、台間機用システム。
【請求項８】
台間機に複数の口座の残高の画面を表示部に表示させるステップと、
当該残高の画面を表示中に、直接、払い出し口座の選択命令を受け付けるステップと、
前記台間機に払い出しの確認画面へ推移させるステップと、を備える、情報処理方法。
【請求項９】
台間機と通信するための通信インターフェイスと、
前記台間機が複数の口座の残高の画面を表示している状態で、直接、前記通信インターフェイスを介して前記台間機から払い出し口座の選択命令を受け付けて、前記台間機に払い出しの確認画面へ推移させるプロセッサとを備える、サーバ。
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
表示部と、
操作部と、
前記表示部が複数の口座の残高の画面を表示している状態で、直接、払い出し口座の選択命令を受け付けて、前記表示部に払い出しの確認画面へ推移させて、払い出し中は払い出し中であることを示す画面を前記表示部に表示させて、払い出し処理が終了すると再度、前記表示部に払い出しの確認画面へ推移させるプロセッサとを備える、台間機。
【請求項２】
前記プロセッサは、前記表示部に、複数の口座の残高の画面を表示している状態で、払い出し口座の選択を促すメッセージを表示させる、請求項1に記載の台間機。
【請求項３】
前記プロセッサは、所定の条件を満たしている口座に関して他の口座への乗り入れが可能であることを前記残高の画面に表示するとともに、前記操作部を介して他の口座への乗り入れ命令を受け付け、
前記所定の条件を満たしていない口座に関して他の口座への乗り入れが不能であることを前記残高の画面に表示する、請求項１または２に記載の台間機。
【請求項４】
前記プロセッサは、前記口座の残高として貯玉の数と持ち玉の数とを前記残高の画面に表示させ、前記貯玉からの乗り入れ命令と前記持ち玉からの乗り入れ命令とを受け付ける、請求項１から３のいずれか１項に記載の台間機。
【請求項５】
請求項４に記載の台間機と、
前記台間機と通信可能なサーバとを備え、
前記サーバは、乗り入れ命令を受け付けると、乗り入れ先の貯玉への変換処理を実行し、
前記台間機は、乗り入れ先への払い出し処理を実行する、台間機用システム。
【請求項６】
請求項４に記載の台間機と、
前記台間機と通信可能なサーバとを備え、
前記サーバは、前記台間機からいずれかの口座の選択命令を受け付けると、当該口座の貯玉と持ち玉のうちの予め定められた方から優先して他の口座へ乗り入れる、台間機用システム。
【請求項７】
台間機と、
前記台間機が複数の口座の残高の画面を表示している状態で、直接、払い出し口座の選択命令を受け付けて、前記台間機に払い出しの確認画面へ推移させて、払い出し中は払い出し中であることを示す画面を前記台間機に表示させて、払い出し処理が終了すると再度、前記台間機に払い出しの確認画面へ推移させるサーバとを備える、台間機用システム。
【請求項８】
台間機に複数の口座の残高の画面を表示部に表示させるステップと、
当該残高の画面を表示中に、直接、払い出し口座の選択命令を受け付けるステップと、
前記台間機に払い出しの確認画面へ推移させて、払い出し中は払い出し中であることを示す画面を前記台間機に表示させて、払い出し処理が終了すると再度、前記台間機に払い出しの確認画面へ推移させるステップと、を備える、情報処理方法。
【請求項９】
台間機と通信するための通信インターフェイスと、
前記台間機が複数の口座の残高の画面を表示している状態で、直接、前記通信インターフェイスを介して前記台間機から払い出し口座の選択命令を受け付けて、前記台間機に払い出しの確認画面へ推移させて、払い出し中は払い出し中であることを示す画面を前記台間機に表示させて、払い出し処理が終了すると再度、前記台間機に払い出しの確認画面へ推移させるプロセッサとを備える、サーバ。
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
表示部と、操作部と、前記表示部が貯玉の数と持ち玉の数とを含む複数の口座の残高の画面を表示している状態で、直接、払い出し口座の選択命令を受け付けることによって前記貯玉からの乗り入れ命令または前記持ち玉からの乗り入れ命令を受け付けて、前記表示部に払い出しの確認画面へ推移させて、払い出し中は払い出し中であることを示す画面を前記表示部に表示させて、乗り入れ先への払い出し処理が終了すると再度、前記表示部に払い出しの確認画面へ推移させるプロセッサとを備える、台間機と、
前記台間機と通信可能であって、前記台間機から前記払い出し口座からの乗り入れ命令を受け付けると、乗り入れ先の貯玉への変換処理を実行することによって口座間の乗り入れ処理を実行するサーバと、を備える、台間機用システム。
【請求項２】
前記プロセッサは、前記表示部に、複数の口座の残高の画面を表示している状態で、払い出し口座の選択を促すメッセージを表示させる、請求項1に記載の台間機用システム。
【請求項３】
前記プロセッサは、所定の条件を満たしている口座に関して他の口座への乗り入れが可能であることを前記残高の画面に表示するとともに、前記操作部を介して他の口座への乗り入れ命令を受け付け、
前記所定の条件を満たしていない口座に関して他の口座への乗り入れが不能であることを前記残高の画面に表示する、請求項１または２に記載の台間機用システム。
【請求項４】
前記サーバは、前記台間機からいずれかの口座の選択命令を受け付けると、当該口座の貯玉と持ち玉のうちの予め定められた方から優先して他の口座へ乗り入れる、請求項１から３のいずれか１項に記載の台間機用システム。
【請求項５】
台間機に貯玉の数と持ち玉の数とを含む複数の口座の残高の画面を表示部に表示させるステップと、
当該残高の画面を表示中に、直接、払い出し口座の選択命令を受け付けることによって前記貯玉からの乗り入れ命令または前記持ち玉からの乗り入れ命令を受け付けるステップと、
前記台間機に払い出しの確認画面へ推移させて、払い出し中は払い出し中であることを示す画面を前記台間機に表示させて、乗り入れ先への払い出し処理が終了すると再度、前記台間機に払い出しの確認画面へ推移させるステップと、
前記台間機から前記払い出し口座からの乗り入れ命令を受け付けると、乗り入れ先の貯玉への変換処理を実行することによって口座間の乗り入れ処理を実行するステップと、を備える、情報処理方法。
【請求項６】
台間機と通信するための通信インターフェイスと、
前記台間機が貯玉の数と持ち玉の数とを含む複数の口座の残高の画面を表示している状態で、直接、前記通信インターフェイスを介して前記台間機から払い出し口座の選択命令を受け付けることによって前記貯玉からの乗り入れ命令または前記持ち玉からの乗り入れ命令を受け付けて、前記台間機に払い出しの確認画面へ推移させて、払い出し中は払い出し中であることを示す画面を前記台間機に表示させて、乗り入れ先の貯玉への変換処理を実行することによって口座間の乗り入れ処理を実行させ、乗り入れ先への払い出し処理が終了すると再度、前記台間機に払い出しの確認画面へ推移させるプロセッサとを備える、サーバ。